(57)【特許請求の範囲】
【請求項１】
クライアント画面に表示されるコンテンツの大きさに関する情報を確認するコンテンツ情報確認モジュールと、
クライアントに表示される広告に関する情報を登録されて格納して管理する広告管理モジュールと、
コンテンツの大きさがクライアント画面よりも大きい場合には、クライアント画面にコンテンツの終止部分が表示されれば、クライアントユーザーがコンテンツの内容を認知したと判断して終止信号を発生するコンテンツ終止確認モジュールと、
コンテンツ終止確認モジュールにより終止信号が発生されれば、クライアント画面の一方の側に広告を表示する広告表示モジュールとを備えることを特徴とする、
コンテンツ認知を用いた広告システム。
【請求項２】
クライアントとしては、コンピュータ、スマートフォン、タブレットＰＣ、及びスマートＴＶのうちの少なくとも１つが挙げられることを特徴とする、請求項１に記載のコンテンツ認知を用いた広告システム。
【請求項３】
コンテンツ情報確認モジュールは、コンテンツの大きさに応じて、ユーザーがコンテンツを認知したと見なし得る標準化された終止時間を設定することを特徴とする、請求項１に記載のコンテンツ認知を用いた広告システム。
【請求項４】
コンテンツ終止確認モジュールは、コンテンツが出力されるクライアント画面に表示されるスクロールバーの位置を確認して、スクロールバーの位置が既に設定された終止領域に相当すれば終止信号を出力するスクロールバー位置確認部を備えることを特徴とする、請求項１に記載のコンテンツ認知を用いた広告システム。
【請求項５】
コンテンツ終止確認モジュールは、コンテンツの大きさに関する情報と比較して、コンテンツを表示するクライアント画面の大きさと表示するコンテンツのフォント及び／又は行間に関する情報とを確認するクライアント画面情報確認部と、クライアント画面情報確認部によりクライアント画面にコンテンツの開始部分と終止部分が一緒に表示されると確認されれば、コンテンツの表示時間がコンテンツ情報確認モジュールにより既に設定されたコンテンツの終止時間に達すれば終止信号を出力するコンテンツ表示時間確認部とを備えることを特徴とする、請求項１に記載のコンテンツ認知を用いた広告システム。
【請求項６】
広告表示モジュールを介して表示される広告は、コンテンツが表示されるクライアント画面または別途の画面に表示されることを特徴とする、請求項４または請求項５に記載のコンテンツ認知を用いた広告システム。
【請求項７】
コンテンツ終止確認モジュールは、コンテンツが出力された後に既に設定された時間が経過した状態でクライアント画面が閉じられれば終止信号を出力する画面閉止確認部を備えることを特徴とする、請求項１に記載のコンテンツ認知を用いた広告システム。
【請求項８】
広告表示モジュールを介して表示される広告は、別途のクライアント画面またはレイヤーに表示されることを特徴とする、請求項７に記載のコンテンツ認知を用いた広告システム。
【請求項９】
クライアント画面に表示されるコンテンツの内容を形態素分析して重複度が高い単語をコンテンツのキーワードとして選定するコンテンツキーワード確認モジュールをさらに備え、広告表示モジュールは、クライアントに表示される広告としてコンテンツキーワードに対応するキーワードを有する広告を選択して表示することを特徴とする、請求項１に記載のコンテンツ認知を用いた広告システム。
【発明の詳細な説明】
【技術分野】
【０００１】
本発明は、クライアントで表示されるコンテンツの内容をユーザーが認知したと判断される時点で広告が表示されるようにして、ユーザーがコンテンツの習得に集中しながら広告への集中度も増大させることのできるユーザーコンテンツ認知時間を用いた広告システム及び広告方法に関する。
【背景技術】
【０００２】
インターネットなどのコンピュータネットワークの発達とこのネットワークを用いた通信技術の発達のおかげで、人間生活の時間的、空間的制約を克服してリアルタイムにて種々の情報を提供することが可能になった。このため、このようなネットワーク通信の発達と相俟って、各種のコンテンツを伝達するサービスが発達することになった。
【０００３】
このようなコンテンツを提供されるために、インターネットに接続されるコンピュータ、スマートフォン、タブレットＰＣ、スマートＴＶなどのクライアントを用いてユーザーが希望するコンテンツを確認するが、コンテンツには数多くの数十種のバナーまたはフローティング広告が一緒に表示されるため、コンテンツの内容が認知し難く、しかも、広告の内容が認知し難い。
【０００４】
この種の問題点を解消するために、コンテンツが表示されていない余白に広告を表示するが、コンテンツと一緒に広告が露出されるため、クライアントユーザーがコンテンツの内容の確認に集中することができないという問題点は依然として残っている。
【発明の概要】
【発明が解決しようとする課題】
【０００５】
本発明が解決しようとする課題は、クライアントで表示されるコンテンツの内容をユーザーが認知したと判断される時点で広告が表示されるようにして、ユーザーがコンテンツの習得に集中しながら広告への集中度も増大させることのできるユーザーコンテンツ認知時間を用いた広告システム及び広告方法を提供するところにある。
【０００６】
本発明が解決しようとする他の課題は、コンテンツが表示されるクライアントのスクロールバーピクセルと残余領域のピクセル、コンテンツ表示時間などを用いてユーザーがコンテンツの内容を認知したと見なし、広告が表示されるようにするユーザーコンテンツ認知時間を用いた広告システム及び広告方法を提供するところにある。
【課題を解決するための手段】
【０００７】
本発明の実施形態によるコンテンツ認知時間を用いた広告システムは、クライアント画面に表示されるコンテンツの大きさに関する情報を確認するコンテンツ情報確認モジュール２０２と、クライアントに表示される広告に関する情報を登録されて格納して管理する広告管理モジュール２０４と、クライアント画面にコンテンツの終止部分が表示されれば、クライアントユーザーがコンテンツの内容を認知したと判断して終止信号を発生するコンテンツ終止確認モジュール２０６と、コンテンツ終止確認モジュール２０６により終止信号が発生されれば、クライアントの一方の側に広告を表示する広告表示モジュール２１２と、を備えることを特徴とする。
【０００８】
好ましくは、コンテンツ情報確認モジュール２０２は、コンテンツの大きさに応じて、ユーザーがコンテンツを認知したと見なし得る標準化された終止時間を設定する。
【０００９】
好ましくは、コンテンツ終止確認モジュール２０６は、コンテンツが出力されるクライアント画面に表示されるスクロールバーの位置を確認して、スクロールバーの位置が既に設定された終止領域に相当すれば終止信号を出力するスクロールバー位置確認部２０８を備える。
【００１０】
好ましくは、コンテンツ終止確認モジュール２０６は、コンテンツが表示されるクライアント画面の大きさ及び表示されるコンテンツのフォント、行間などに関する情報を確認するクライアント画面情報確認部２０７と、クライアント画面情報確認部２０７によりクライアント画面にコンテンツの開始部分と終止部分が一緒に表示されると確認されれば、コンテンツの表示時間がコンテンツ情報確認モジュール２０２により既に設定されたコンテンツの終止時間に達すれば終止信号を出力するコンテンツ表示時間確認部２０９と、を備える。
【００１１】
好ましくは、コンテンツ終止確認モジュール２０６は、コンテンツが出力された後に既に設定された時間が経過した状態でクライアント画面が閉じられれば終止信号を出力する画面閉止確認部２１０を備える。
【００１２】
好ましくは、クライアント画面に表示されるコンテンツの内容を形態素分析して重複度が高い単語をコンテンツのキーワードとして選定するコンテンツキーワード確認モジュール２１４をさらに備え、広告表示モジュール２１２は、クライアントに表示される広告としてコンテンツキーワードに対応するキーワードを有する広告を選択して表示する。
【００１３】
また、本発明の実施形態によるコンテンツ認知時間を用いた広告方法は、クライアントに表示される広告に関する情報を広告管理モジュール２０４を介して登録されて格納するステップと、クライアント画面に表示されるコンテンツに関する情報をコンテンツ情報確認モジュール２０２で分析してコンテンツの大きさを確認し、コンテンツの大きさに応じてコンテンツの終止部分を認知したと見なす標準化された終止時間を設定するステップと、コンテンツが表示されるクライアント画面に関する情報を確認するステップと、クライアント画面にコンテンツが一度に全て表示される場合、コンテンツ終止確認モジュール２０６のコンテンツ表示時間確認部２０９はコンテンツの表示時間が既に設定されたコンテンツの終止時間に達すれば終止信号を出力するステップと、終止信号が出力されれば、広告表示モジュール２１２を介してクライアントに広告を表示するステップと、を含むことを特徴とする。
【００１４】
さらに、本発明の他の実施形態によるコンテンツ認知時間を用いた広告方法は、クライアントに表示される広告に関する情報を広告管理モジュール２０４を介して登録されて格納するステップと、コンテンツが表示されるクライアント画面にスクロールバーが表示される場合、スクロールバー位置確認部２０８でスクロールバーの大きさと位置を確認してスクロールバーの位置が終端であれば終止信号を出力するステップと、終止信号が出力されれば、広告表示モジュール２１２を介してクライアントに広告を表示するステップと、を含む。
【００１５】
さらに、本発明のさらに他の実施形態によるコンテンツ認知時間を用いた広告方法は、クライアントに表示される広告に関する情報を広告管理モジュール２０４を介して登録されて格納するステップと、クライアント画面に表示されるコンテンツに関する情報をコンテンツ情報確認モジュール２０２で分析してコンテンツの大きさを確認し、コンテンツの大きさに応じてコンテンツの終止部分を認知したと見なす標準化された終止時間を設定するステップと、クライアント画面にコンテンツが出力された後に既に設定された時間が経過した状態で画面が閉じられれば、画面閉止確認部２１０で終止信号を出力するステップと、終止信号が出力されれば、広告表示モジュール２１２を介してクライアントに広告を表示するステップと、を含むことを特徴とする。
【発明の効果】
【００１６】
本発明によるコンテンツ認知時間を用いた広告システムによれば、クライアントユーザーがコンテンツの内容を全て認知したと判断される時点で広告を表示して広告効果を極大化させることができるという効果がある。
【００１７】
また、広告の内容としてコンテンツの内容と関連するものを表示すれば、広告効果も増大させることができるという効果がある。
【図面の簡単な説明】
【００１８】
【図１】図１は、本発明によるユーザーコンテンツ認知時間を用いた広告システムの概略図である。
【図２】図２は、本発明による広告サーバーのブロック図である。
【図３】図３は、本発明によるユーザーコンテンツ認知時間を用いた広告方法のフローチャートである。
【発明を実施するための形態】
【００１９】
以下、添付図面に基づき、本発明のユーザーコンテンツ認知時間を用いた広告システムについて詳細に説明する。
【００２０】
図１に示すように、本発明によるユーザーコンテンツ認知時間を用いた広告システムの基本的な考え方は、広告サーバー２００から、有無線で接続されたクライアント１００の画面に表示されるコンテンツの内容をユーザーが認知したと判断される時点で広告提供業体３００から提供される広告をさらに送出することである。このとき、クライアントとしては、コンピュータ、スマートフォン、タブレットＰＣ、スマートＴＶなどが挙げられ、クライアント画面としては、インターネットブラウザー、アプリケーションまたはアップなどコンテンツが表示されるクライアント画面がいずれも挙げられる。
【００２１】
図２を参照すると、本発明の広告サーバー２００は、コンテンツ情報確認モジュール２０２と、広告管理モジュール２０４と、コンテンツ終止確認モジュール２０６と、広告表示モジュール２１２と、を備える。
【００２２】
コンテンツ情報確認モジュール２０２は、クライアント画面に表示されるコンテンツの大きさに関する情報を分析してコンテンツ情報ＤＢ２２２に格納する。このようなコンテンツ情報確認モジュール２０２によりコンテンツに含まれているテキストの数、イメージの大きさなどを確認することができ、全体のコンテンツの大きさを確認することができる。
【００２３】
また、コンテンツ情報確認モジュール２０２は、コンテンツの大きさに応じて、ユーザーがコンテンツの終止部分を認知したと見なし得る標準化された終止時間を設定する。例えば、コンテンツの大きさがクライアント画面に一度に全て表示できる場合には、コンテンツが表示された後にユーザーがコンテンツの終止部分を読み込んだと見なし得る所定の経過時間を終止時間として設定することができる。このような終止時間は、コンテンツの大きさとクライアント画面の大きさに応じて異なるように設定される。
【００２４】
広告管理モジュール２０４は、クライアントに表示される広告を提供する広告提供業体３００と広告提供業体３００が提供する広告に関する情報を登録されて広告ＤＢ２２４に格納して管理する。なお、広告管理モジュール２０４は、広告提供業体３００から提供される広告を広告の内容に応じて代表キーワードに細分して格納することが好ましい。
【００２５】
コンテンツ終止確認モジュール２０６は、クライアント画面にコンテンツの終止部分が表示されるか否かを確認し、ユーザーがコンテンツの内容を認知したと判断されれば終止信号を発生する。このようなコンテンツ終止確認モジュール２０６は、クライアント画面情報確認部２０７と、スクロールバー位置確認部２０８と、コンテンツ表示時間確認部２０９と、画面閉止確認部２１０と、を備える。
【００２６】
クライアント画面情報確認部２０７は、コンテンツが表示されるクライアント画面の大きさ及び画面に表示されるコンテンツのフォント、行間などに関する情報を確認する。なお、クライアント画面情報確認部２０７は、画面に表示されるコンテンツの内容を全体のコンテンツと比較してコンテンツの終止部分が表示されるか否かを確認することができる。
【００２７】
スクロールバー位置確認部２０８は、コンテンツが出力されるクライアント画面に表示されるスクロールバーの位置を確認して、スクロールバーの位置が既に設定された終止領域に相当すれば終止信号を出力する。このとき、スクロールバーは、画面の側面にバー状に表示されてもよく、画面の下段にページを表示する点状に表示されてもよい。このため、クライアント画面の側面または下段に表示されるスクロールバーの全体の領域でスクロールバーが位置する領域を比較して、全体の領域の８０〜１００％以内にスクロールバーが位置する場合にコンテンツの終止部分が画面に出力されると認識して終止信号が出力されるように設定することができる。
【００２８】
コンテンツ表示時間確認部２０９は、クライアント画面情報確認部２０７によりクライアント画面にコンテンツの開始部分と終止部分が一緒に表示されると確認されれば、コンテンツの表示時間がコンテンツ情報確認モジュール２０２により既に設定されたコンテンツの終止時間に達したか否かを確認して、終止時間に達すれば終止信号を出力する。
【００２９】
画面閉止確認部２１０は、クライアント画面にコンテンツが出力された後に既に設定された時間が経過した状態でクライアント画面が閉じられれば、終止信号を出力する。このような画面閉止確認部２１０によりコンテンツが設定時間以上に画面に露出されれば、ユーザーがコンテンツを十分に確認したと認識して終止信号を出力する。
【００３０】
広告表示モジュール２１２は、コンテンツ終止確認モジュール２０６により終止信号が発生されれば、クライアントに広告を表示する。このとき、クライアントに表示される広告は、コンテンツが表示されるクライアント画面の一方の側に表示されてもよく、別途のレイヤーに表示されてもよい。特に、画面閉止確認部２１０で発生された終止信号の場合には、別途の画面またはレイヤーに表示される。なお、広告がコンテンツが表示されるクライアント画面の一方の側に表示される場合には、コンテンツと重なり合わないように表示されることが好ましい。
【００３１】
一方、本発明の広告サーバーは、クライアント画面に表示されるコンテンツの内容を形態素分析して重複度が高い単語をコンテンツのキーワードとして選定するコンテンツキーワード確認モジュール２１４をさらに備える。コンテンツキーワード確認モジュール２１４を介してコンテンツのキーワードが選定されれば、広告表示モジュール２１２は、クライアントに表示される広告として、コンテンツキーワードに対応するキーワードを有する広告を選択して表示することができる。
【００３２】
以下、図３のフローチャートに基づき、本発明によるコンテンツ認知時間を用いた広告過程について説明する。
【００３３】
先ず、コンテンツ情報確認モジュール２０２は、クライアント画面に表示されるコンテンツの大きさに関する情報を分析してコンテンツ情報ＤＢ２２２に格納する。このようなコンテンツ情報確認モジュール２０２によりコンテンツに含まれているテキストの数、イメージの大きさなどを確認することができ、全体のコンテンツの大きさを確認することができる。
【００３４】
また、コンテンツ情報確認モジュール２０２は、コンテンツの大きさに応じて、ユーザーがコンテンツの終止部分を認知したと見なし得る標準化された終止時間を設定する。例えば、コンテンツの大きさがクライアント画面に一度に全て表示できる場合には、コンテンツが表示された後にユーザーがコンテンツの終止部分を読み込んだと見なし得る所定の経過時間を終止時間として設定することができる。このような終止時間は、コンテンツの大きさとクライアント画面の大きさに応じて異なるように設定される。
【００３５】
先ず、広告管理モジュール２０４は、広告を提供する広告提供業体３００と広告業体が提供する広告に関する情報を登録されて広告ＤＢ２２４に格納して管理する（ステップＳ１０１）。このとき、登録された広告は、内容に応じて代表キーワードに細分化されて格納される。
【００３６】
一方、クライアント画面にコンテンツが表示されれば、クライアント画面情報確認部２０７は、コンテンツが表示されるクライアント画面に関する情報を確認する（ステップＳ１０２）。
【００３７】
そして、コンテンツ情報確認モジュール２０２は、クライアント画面に表示されるコンテンツを分析してコンテンツの全体の大きさを確認し（ステップＳ１０３）、コンテンツの大きさに応じてコンテンツの終止部分を認知し得る標準化された終止時間を設定してコンテンツ情報ＤＢ２２２に格納する（ステップＳ１０４）。
【００３８】
次いで、コンテンツ終止確認モジュール２０６は、コンテンツの終止部分がクライアント画面に表示されたか否かを確認する。すなわち、クライアント画面情報確認部２０７により確認されたクライアント画面にコンテンツが全て表示されると確認されれば（ステップＳ１０５）、コンテンツ表示時間確認部２０９は、コンテンツが表示された後に既に設定されたコンテンツの終止時間に達したか否かを確認して、終止時間に達すれば終止信号を出力する（ステップＳ１０６）。
【００３９】
また、コンテンツが表示されるクライアント画面の一方の側にスクロールバーが表示される場合、スクロールバー位置確認部２０８は、全体のスクロールバーの領域におけるスクロールバーの大きさと位置を確認して、スクロールバーの位置がスクロールバーの領域の先端であれば、終止信号を出力する（ステップＳ１０７）。
【００４０】
このような過程を経て終止信号が出力されれば、広告表示モジュール２１２は、クライアントに広告を表示する（ステップＳ１０８）。このとき、広告は、コンテンツが表示されるクライアント画面の一方の側にコンテンツと重なり合わないように表示されてもよく、レイヤーのように別途の画面に表示されてもよい。特に、クライアントに表示される広告として、コンテンツキーワード確認モジュール２１４を介してコンテンツの内容を形態素分析して重複度が高い単語に見合う広告を選択して表示することが好ましい。
【００４１】
一方、コンテンツが出力された後に既に設定された時間が経過した状態でクライアント画面が閉じられれば、画面閉止確認部２１０は終止信号を出力することができ、別途の画面または他のレイヤーに広告を表示することができる。このような画面閉止確認部２１０によりコンテンツが設定時間以上に画面に露出された後に閉じられれば、ユーザーがコンテンツを十分に確認したと認識して終止信号を出力することができる。
【００４２】
このような過程を経て、ユーザーは、クライアント画面に表示されるコンテンツの内容を認知した状態で広告がいきなり表示されるため広告への集中度を向上させることができる。また、コンテンツの内容に連関性が高いと推定される広告を表示すれば、広告効果も増大させることができる。
【００４３】
以上述べたように、本発明は、たとえ限定された実施形態と図面により説明されたが、本発明はこれに何ら限定されるものではなく、本発明が属する技術分野において通常の知識を有する者により本発明の技術思想と後述する請求範囲の均等な範囲内で種々の修正及び変形を加えることが可能であるということはいうまでもない。
【図１】
0006023821.tif 000002
【図２】
0006023821.tif 000003
【図３】
0006023821.tif 000004